(57)【特許請求の範囲】
【請求項１】
第１の液体及び該第１の液体と互いに混合することのない第２の液体が、それらの界面が所定の形状にて容器内に密閉されるとともに、第１の液体への電圧印加により、前記界面にて形成される球面の曲率半径及び高さが前記電圧値に応じた状態となるよう変化し、光透過率を変更する構成の光学素子を有するカメラにおいて、
前記光学素子を撮影光路内に配し、これを光量制御素子として採用するとともに、輝度値に応じて前記電圧値を制御する制御手段を有することを特徴とするカメラ。
【請求項２】
前記光学素子は、前記第１の液体は所定の光線吸収特性を有するものであり、前記第１の液体の容器の表面までの厚さは、前記界面にて形成される球面の曲率半径及び高さに応じ変更されることで、透過率が変更される構成の素子であることを特徴とする請求項１に記載のカメラ。
【請求項３】
前記光学素子へ電圧を印加する給電手段を更に有し、
前記制御手段は、前記カメラの電源がオンされることにより、前記給電手段による前記光学素子への電圧印加を可能な状態にし、前記カメラでの一連の動作が終了することにより、前記給電手段による前記光学素子への電圧印加を不能な状態にすることを特徴とする請求項１又は２に記載のカメラ。
【請求項４】
前記光学素子へ電圧を印加する給電手段と、
前記光学素子の光学的特性を所望の状態に変化させる為に前記給電手段による前記光学素子への電圧状態を可変する為の操作部材を更に有し、
前記制御手段は、前記光学素子への電圧印加から所定時間、前記操作部材の操作が無い場合、前記光学素子への電圧印加をオフすることを特徴とする請求項１又は２に記載のカメラ。
【請求項５】
前記光学素子へ電圧を印加する給電手段と、
該給電手段による前記光学素子への印加電圧を制御する制御手段と、前記カメラの電源がオフされる直前の前記光学素子への印加電圧を記憶する記憶手段とを更に有し、
前記制御手段は、前記カメラの電源がオンされた場合、前記記憶手段の記憶値に基づいて前記光学素子への印加電圧を設定することを特徴とする請求項１又は２に記載のカメラ。
【請求項６】
前記光学素子は、ＮＤフィルタであることを特徴とする請求項１ないし５の何れか１項に記載のカメラ。
【発明の詳細な説明】
【０００１】
【発明の属する技術分野】
本発明は、導電性または有極性の第１の液体及び該第１の液体と互いに混合することのない第２の液体を、それらの界面が所定の形状をなした状態で容器内に密閉し、該容器に設けられた電極に対する電圧の印加による界面形状の変化によって光学的特性が変化する、いわゆる電気毛管現象（エレクトロウェッティング）を利用した光学素子を有する光学装置に関するものである。
【０００２】
【従来の技術】
スチルカメラ、ビデオカメラ等の光学装置に組み込まれている光学系のうち、焦点距離を変えられるものにおいて、その殆どが光学系を構成するレンズ（もしくはレンズ群）の一部を機械的に光軸方向に移動させることにより、光学系全体の焦点距離を変更している。
【０００３】
例えば特登録第２６３３０７９号では、ズーミングにより光軸方向に移動する１群レンズと、該１群レンズの移動の際に前記光軸方向に移動する１群鏡筒と、該１群鏡筒の移動により前記光軸方向に移動するカム筒とを有するズームレンズ鏡筒において、前記１群鏡筒が固定筒の外径側に嵌合し、前記カム筒が前記固定筒の内径側に嵌合し、前記カム筒の前側の部分が前記１群鏡筒の内径側に嵌合するようにした構成であって、前記カム筒を光軸方向に移動させることで、前記１群レンズを移動させてズーミング動作を行うようにしている。
【０００４】
また、実際のズーミング動作は、光学装置に設けられているズームスイッチ等の操作部材を操作する事によって行われ、その制御方法も公知のものが有る。例えば特開平８−２６２３０５号においては、ズームスイッチ等の電気的変量の値によってレンズシステムの変倍速度を制御している。
【０００５】
このように、機械的にレンズ（もしくはレンズ群）を光軸方向に移動させて焦点距離を変更する場合、光学装置の機械的構造が複雑になるという不具合を有している。この不具合を解決するために、レンズそのものに変化を与える事によって焦点距離を可変にするものが有る。
【０００６】
例えば特開平１１−８４８１７号では、高分子分散液晶層を有した可変焦点レンズにおいて、液晶層に印加する電界の強さを変化させ、液晶分子の方向が変わる事で可変焦点レンズの屈折率を段階的もしくは連続的に変える事が出来る可変焦点レンズが公開されている。これによると、電気エネルギーを直接レンズの屈折率変化に用いる事が出来るため、レンズを機械的に移動させる事無く可変焦点にする事が可能となる。しかし、一対の透明電極間に高分子分散液晶層が設けられていることから、最大透過率が低くなるといった欠点を有していた。
【０００７】
これに対し、電気毛管現象（エレクトロウェッティング）を用いた可変焦点レンズが、ＷＯ９９／１８４５６にて開示されているが、この技術を用いると、電気エネルギーを直接レンズの形状変化に用いることができるため、レンズを機械的に移動させること無く可変焦点にする事が可能となると共に、この電気毛管現象を用いたレンズは実質上透明であり、最大透過率が９０％以上である利点を有する。従って、本願出願人は、この電気毛管現象を用いた光学素子をカメラ等の光学装置に組み込むことにより、光学特性の優れた、小型の光学装置の実現を考えている。
【０００８】
【発明が解決しようとする課題】
しかしながら、このＷＯ９９／１８４５６には、光学パワーを可変とする技術については開示されているが、光学装置に組込まれた時の駆動シーケンスに関する技術については一切開示されていない。更に詳述すると、上記の様に電気毛管現象を用いた光学素子は電気エネルギーを直接レンズの形状変化に用いる構造である為、カメラ等の電源の限られた装置に適用する際には、省電化を考慮した駆動シーケンスとすることが重要であるが、これについての開示はなく、本願出願人はこの点を考慮した光学装置を新たに考えている。
【０００９】
（発明の目的）
本発明の目的は、カメラの小型化に寄与しかつ最大透過率の優れた、電気毛管現象を利用した光学素子を低消費電力で駆動し、所望の光学特性を得ることのできるカメラを提供しようとするものである。
【００１５】
【課題を解決するための手段】
上記の目的を達成するために、請求項１に記載の発明は、第１の液体及び該第１の液体と互いに混合することのない第２の液体が、それらの界面が所定の形状にて容器内に密閉されるとともに、第１の液体への電圧印加により、前記界面にて形成される球面の曲率半径及び高さが前記電圧値に応じた状態となるよう変化し、光透過率を変更する構成の光学素子を有するカメラにおいて、前記光学素子を撮影光路内に配し、これを光量制御素子として採用するとともに、輝度値に応じて前記電圧値を制御する制御手段を有するカメラとするものである。
【００２２】
【発明の実施の形態】
以下、本発明を図示の実施の形態に基づいて詳細に説明する。
【００２３】
（実施の第１の形態）
図１〜図４は本発明の実施の第１の形態に係わる図であり、まず、図１の光学素子の構成を示す断面図を用いて、その構成と作成方法について説明する。
【００２４】
同図において、１０１は光学素子全体を示し、１０２は中央に凹部を設けた透明アクリル製の透明基板である。該透明基板１０２の上面には、酸化インジウムスズ製の透明電極（ＩＴＯ）１０３がスパッタリングで形成され、その上面には透明アクリル製の絶縁層１０４が密着して設けられる。絶縁層１０４は、前記透明電極１０３の中央にレプリカ樹脂を滴下し、ガラス板で押しつけて表面を平滑にした後、ＵＶ照射を行い、硬化させて形成する。絶縁層１０４の上面には、遮光性を有した円筒型の容器１０５が接着固定され、その上面には透明アクリル製のカバー板１０６が接着固定され、更にその上面には中央部に直径Ｄ３の開口を有した絞り板１０７が配置される。
【００２５】
以上の構成において、絶縁層１０４，容器１０５及び上カバー１０６で囲まれた所定体積の密閉空間、すなわち液室を有した筐体が形成される。そして液室の壁面には、以下に示す表面処理が施される。
【００２６】
まず、絶縁層１０４の中央上面には、直径Ｄ１の範囲内に撥水処理剤が塗布され、撥水膜１１１が形成される。撥水処理剤は、フッ素化合物等が好適である。また、絶縁層１０４上面の直径Ｄ１より外側の範囲には、親水処理剤が塗布され、親水膜１１２が形成される。親水処理剤は、界面活性剤、親水性ポリマー等が好適である。一方、カバー板１０６の下面には、直径Ｄ２の範囲内に親水処理が施され、前記親水膜１１２と同様の性質を有した親水膜１１３が形成される。
【００２７】
そして、これまでに説明したすべての構成部材は、光軸１２３に対して回転対称形状をしている。更に、容器１０５の一部には孔が開けられ、ここに棒状電極１２５が挿入され、接着剤で封止されて前記液室の密閉性を維持している。そして透明電極１０３と棒状電極１２５には給電手段１２６が接続され、スイッチ１２７の操作で両電極間に所定の電圧が印加可能になっている。
【００２８】
以上の構成の液室には、以下に示す２種類の液体が充填される。
【００２９】
まず、絶縁層１０４上の撥水膜１１１の上には、第２の液体１２２が所定量だけ滴下される。第２の液体１２２は無色透明で、比重1.06、室温での屈折率1.49のシリコーンオイルが用いられる。一方、液室内の残りの空間には、導電性又は有極性の第１の液体１２１が充填される。第１の液体１２１は、水とエチルアルコールが所定比率で混合され、更に所定量の食塩が加えられた、比重1.06、室温での屈折率1.38の電解液である。すなわち、第１及び第２の液体は、比重が等しく、かつ互いに不溶の液体が選定される。そこで両液体は界面１２４を形成し、混じりあわずに各々が独立して存在する。
【００３０】
次に、前記界面１２４の形状について説明する。
【００３１】
まず、第１の液体１２１に電圧が印加されていない場合、界面１２４の形状は、両液体間の界面張力、第１の液体１２１と絶縁層１０４上の撥水膜１１１あるいは親水膜１１２との界面張力、第２の液体１２２と絶縁層１０４上の撥水膜１１１あるいは親水膜１１２との界面張力、及び、第２の液体１２２の体積で決まる。この実施の形態においては、第２の液体１２２の材料であるシリコーンオイルと、撥水膜１１１との界面張力が相対的に小さくなるように材料選定されている。すなわち、両材料間の濡れ性が高いため、第２の液体１２２が形成するレンズ状液滴の外縁は広がる性向を持ち、外縁が撥水膜１１１の塗布領域に一致したところで安定する。つまり、第２の液体１２２が形成するレンズ底面の直径Ａ１は、撥水膜１１１の直径Ｄ１に等しい。一方両液体の比重は前述のごとく等しいため、重力は作用しない。そこで界面１２４は球面になり、その曲率半径及び高さｈ１は第２の液体１２２の体積により決まる。また、第１の液体１２１の光軸上の厚さはｔ１になる。
【００３２】
上記構成において、スイッチ１２７が閉操作され、第１の液体１２１に電圧が印加されると、電気毛管現象によって第１の液体１２１と親水膜１１２との界面張力が減少し、第１の液体１２１が親水膜１１２と撥水膜１１１の境界を乗り越えて撥水膜１１１内に侵入する。その結果、図２のごとく、第２の液体１２２が作るレンズの底面の直径はＡ１からＡ２に減少し、高さはｈ１からｈ２に増加する。また、第１の液体１２１の光軸上の厚さはｔ２になる。このように第１の液体１２１への電圧印加によって、２種類の液体の界面張力の釣り合いが変化し、両液体間の界面の形状が変わる。
【００３３】
ここで、第２の液体１２２は実質上透明である。すなわち、光強度の低下率は第１の液体１２１の光軸上の厚さ（図１のｔ１あるいは図２のｔ２）に比例するため、給電手段１２６の電圧制御によって界面１２４の形状を自在に変えられる光学素子が実現できる。また、第１及び第２の液体が異なる屈折率を有しているため、光学レンズとしてのパワーが付与される事になるから、光学素子１０１は界面１２４の形状変化によって可変焦点レンズとなる。
【００３４】
図３は、上記の光学素子１０１を光学装置１４１に応用したものである。この実施の形態では、光学装置１４１は、静止画像を撮像手段で電気信号に光電変換し、これをデジタルデータとして記録する、いわゆるデジタルスチルカメラを例として説明する。
【００３５】
図３において、１３０は複数のレンズ群からなる撮影光学系であり、第１レンズ群１３１、第２レンズ群１３２、及び光学素子１０１で構成され、前記第１レンズ群１３１の光軸方向の進退で、焦点調節がなされ、前記光学素子１０１のパワー変化でズーミングがなされる。前記第２レンズ群１３２は移動しないリレーレンズ群である。そして、第１レンズ群１３１と第２レンズ群１３２の間に光学素子１０１が配置され、第１レンズ群１３１と光学素子１０１との間には、公知の技術によって絞り開口径が調整して撮影光束の光量を調整する絞りユニットが配置されている。
【００３６】
また、撮影光学系１３０の焦点位置（予定結像面）には、撮像手段１３４が配置される。これは照射された光エネルギーを電荷に変換する複数の光電変換部、前記電荷を蓄える電荷蓄積部、及び前記電荷を転送し、外部に送出する電荷転送部からなる例えば２次元ＣＣＤが光電変換手段として用いられる。
【００３７】
１４２は光学装置１４１全体の動作を制御する中央演算処理装置（以下ＣＰＵと記す）で、ＲＯＭ，ＲＡＭ，ＥＥＰＲＯＭやＡ／Ｄ変換機能及びＤ／Ａ変換機能を有する１チップマイコンである。１４３はＣＰＵ１４２や可変焦点レンズを有する光学装置内の各種回路、アクチュエータに電力を供給する電源である。１４４は光学素子１０１へ電圧を印加するための給電手段であり、図１の給電手段１２６に相当する。この給電手段１４４は、ＣＰＵ１４２からの制御信号に応じて所望の電圧を出力する。１４５は画像信号処理回路であり、撮像手段１３５から入力したアナログの画像信号をＡ／Ｄ変換し、ＡＧＣ制御，ホワイトバランス，γ補正、エッジ強調等の画像処理を施す。
【００３８】
１５１は液晶ディスプレイ等の表示器であり、撮像手段１３４で取得した被写体像や、可変焦点レンズを有する光学装置１４１の動作状況を表示する。１５２はＣＰＵ１４２をスリープ状態からプログラム実行状態に起動するメインスイッチである。１５３はズームスイッチであり、撮影者のズームスイッチ操作に応じて後述する変倍動作を行い、撮影光学系１３０の焦点距離を変える。１５４は上記スイッチ以外の操作スイッチ群であり、撮影準備スイッチ，撮影開始スイッチ，シャッタ秒時等を設定する撮影条件設定スイッチ等で構成される。１５５は焦点検出手段であり、一眼レフカメラに用いられる位相差検出式の焦点検出手段等が好適である。１５６はフォーカス駆動手段であり、第１レンズ群１３１を光軸方向に進退させるアクチュエータとドライバ回路を含み、前記焦点検出手段１５５で演算したフォーカス信号に基づいてフォーカス動作を行い、撮影光学系１３０の焦点状態を調節する。１５７はメモリ手段であり、撮影された画像信号を記録する。具体的には、着脱可能なＰＣカード型のフラッシュメモリ等が好適である。
【００３９】
図４は、図３に示した光学装置１４１が有するＣＰＵ１４２の制御を示すフローチャートであり、以下、図３を参照しながら動作説明を行う。
【００４０】
まず、ステップＳ１０１において、メインスイッチ１５２がオン操作されたかどうかを判定し、オン操作されていない時は、そのまま各種スイッチの操作を待つ待機モードの状態となる。その後、メインスイッチ１５２がオン操作されたと判定すると待機モードを解除し、ステップＳ１０２へと進む。そして、このステップＳ１０２において、撮影者による撮影条件の設定を受け付ける。例えば、露出制御モードの設定（シャッタ優先ＡＥ，プログラムＡＥ等）や画質モード（記録画素数の大小，画像圧縮率の大小等）、ストロボモード（強制発光，発光禁止等）等の設定を行う。
【００４１】
次のステップＳ１０３においては、撮影者によってズームスイッチ１５３が操作されたか否かを判定し、オン操作されていない場合はステップＳ１０４に進む。一方、ズームスイッチ１５３が操作された場合はステップＳ１２１に移行し、ここではズームスイッチ１５３の操作量（操作方向やオン時間等）を検出し、次のステップＳ１２２において、その操作量に基づいて対応する焦点距離変化量を演算する。そして、次のステップＳ１２３において、その演算結果によって、光学素子１０１への印加電圧量を決定し、続くステップＳ１２４において、給電手段１４４の出力電圧を制御して光学素子１０１に電圧を印加し、ステップＳ１０２へ戻る。
【００４２】
つまり、ズームスイッチ１５３が操作され続けている場合は、ステップＳ１０２からステップＳ１２４までを繰り返し実行し、ズームスイッチ１５３のオン操作が終了した時点でステップＳ１０４へと移行する。
【００４３】
ステップＳ１０４へ移行すると、ここでは撮影者によって操作スイッチ群１５４のうち、撮影準備スイッチ（図４のフローでは「ＳＷ１」と記す）のオン操作が行われたか否かを判定する。オン操作されていない場合はステップＳ１０２に戻り、撮影条件設定の受け付けや、ズームスイッチ１５３の操作の判定を繰り返す。一方、撮影準備スイッチがオン操作されたと判定したらステップＳ１１１へ移行し、ここでは撮像手段１３４及び信号処理回路１４５を駆動して、プレビュー画像を取得する。プレビュー画像とは、最終記録用画像の撮影条件を適切に設定するため、及び撮影者に撮影構図を把握させるために撮影前に取得する画像の事である。
【００４４】
次のステップＳ１１２においては、上記ステップＳ１１１にて取得したプレビュー画像の受光レベルを認識する。具体的には、撮像手段１３４が出力する画像信号において、最高，最低及び平均の出力信号レベルを演算し、撮像手段１３４に入射する光量を認識する。そして、次のステップＳ１１３において、上記ステップＳ１１２にて認識した受光量に基づいて、撮影光学系１３０内に設けられた絞りユニット１３３を駆動して適正光量になるように絞りユニット１３３の開口径を調整する。続いてステップＳ１１４において、上記ステップＳ１１１にて取得したプレビュー画像を表示器１５１に表示し、次のステップＳ１１５において、焦点検出手段１５４を用いて撮影光学系１３０の焦点状態を検出する。続くステップＳ１１６においては、フォーカス駆動手段１５５により第１レンズ群１３１を光軸方向に進退させて合焦動作を行う。その後、ステップＳ１１７に進み、撮影スイッチ（フローでは「ＳＷ２」と記す）のオン操作がなされたか否かを判定する。オン操作されていない時はステップＳ１１１に戻り、プレビュー画像の取得からフォーカス駆動までのステップを繰り返し実行する。
【００４５】
以上のごとく、撮影準備動作を繰り返し実行している最中に、撮影者が撮影スイッチをオン操作すると、ステップＳ１１７からステップＳ１３１にジャンプする。
【００４６】
ステップＳ１３１においては、撮像を行う。すなわち、撮像手段１３４上に結像した被写体像を光電変換し、光学像の強度に比例した電荷が各受光部近傍の電荷蓄積部に蓄積される。そして、次のステップＳ１３２において、上記ステップＳ１３１にて蓄積された電荷を電荷転送ラインを介して読み出し、読み出したアナログ信号を信号処理回路１４５に入力させる。続くステップＳ１３３においては、信号処理回路１４５に、入力したアナログ画像信号のＡ／Ｄ変換、ＡＧＣ制御，ホワイトバランス，γ補正，エッジ強調等の画像処理、さらに必要に応じてＣＰＵ１４２内に記憶された画像圧縮プログラムでＪＰＥＧ圧縮等を施す処理を行わせる。そして、次のステップＳ１３４において、上記ステップＳ１３３で得られた画像信号をメモリ１５６に記録すると同時に、ステップＳ１３５において、一旦プレビュー画像を消去した後に、上記ステップＳ１３３にて得られた画像信号を表示器１５１に改めて表示する。その後、ステップＳ１３６において、給電手段１４４を制御して光学素子１０１への電圧印加をオフして一連の撮影動作が終了する。
【００４７】
上記実施の第１の形態によれば、以下の様な効果を有することになる。
【００４８】
１）光学素子１０１への印加電圧を制御することで、光学系を機械的に駆動させる事無く、焦点距離の制御可能な光学装置を得ることができる。
【００４９】
２）光学素子１０１の駆動制御を、光学装置１４１の撮影動作と関連付ける事で、実際に光学素子１０１を駆動させる時間を短くする事が出来たので、光学装置の消費電力を低減する事が出来る。
【００５０】
なお、上記実施の第１の形態では、光学装置の一例としてデジタルスチルカメラを取り挙げたが、それ以外のビデオカメラや銀塩カメラ等にも効果を損なわずに適用できる事は言うまでもない。
【００５１】
（実施の第２の形態）
前述した実施の第１の形態は、撮影動作終了後、直ちに光学素子への給電をオフする実施の形態であった。ここでは、光学素子の給電をオフする時間を撮影者が設定可能である場合を、本発明の実施の第２の形態として、図５〜図７を用いて以下に説明する。
【００５２】
図５は、光学素子１０１を、実施の第１の形態と同様にデジタルスチルカメラに相当する光学装置に応用したものである。上記実施の第１の形態と同様なものについては、その説明を省略する。
【００５３】
図５において、ＣＰＵ１４２はその内部にタイマ１４６を有している。タイマ１４６は、後述するように設定された時間をカウントするためのものである。光学装置１４１はメニュースイッチ１５８を有している。このメニュースイッチ１５８は、表示器１５１の明るさ調整や撮影日時の設定等の諸設定を行うためのものであり、その項目の一つに、撮影終了後に光学素子１０１へ給電する時間を設定する項目を有している。またその設定項目は、例えば撮影終了後直ちに給電をオフする設定や、撮影終了してから１０秒後に給電をオフする設定等、少なくとも２種類の設定が出来るものとする。
【００５４】
図６及び図７は、図５に示した光学装置１４１が有するＣＰＵ１４２の制御を示すフローチャートであり、以下、図５〜図７を用いて説明する。
【００５５】
まず、ステップＳ２０１において、メインスイッチ１５２がオン操作されたかどうかを判定し、オン操作されていない時は、そのまま各種スイッチの操作を待つ待機モードの状態となる。その後、メインスイッチ１５２がオン操作されたと判定すると待機モードを解除し、ステップＳ２０２へと進む。そして、このステップＳ２０２においては、ＣＰＵ１４２に記憶されたタイマ１４６の設定値を確認する。なお、光学装置１４１を初めて使用する場合は、ＣＰＵ１４２にはある設定値（例えばカウント値＝０）が記憶されている。
【００５６】
次のステップＳ２０３においては、撮影者による撮影条件の設定を受け付ける。例えば、露出制御モードの設定（シャッタ優先ＡＥ，プログラムＡＥ等）や画質モード（記録画素数の大小，画像圧縮率の大小等）、ストロボモード（強制発光，発光禁止等）等の設定を行う。そして、次のステップＳ２０４において、撮影者によってメニュースイッチ１５８が操作されたか否かを判定し、オン操作されていない場合にはステップＳ２０５に進む。また、メニュースイッチ１５８が操作された場合は、ステップＳ２１０のサブルーチンへと進む。以下、このサブルーチンについて、図７を用いて説明する。
【００５７】
図７のステップＳ２５１においては、メニュースイッチ１５８によってタイマ１４６のカウント値がどれに設定されるのかを判定し、次のステップＳ２５２において、その設定値を既にＣＰＵ１４２に記憶されている設定値と置き換えた後に、図６のステップＳ２０５へ進む。
【００５８】
なお、メニュースイッチ１５８によって表示器１５１の明るさ調整や撮影日時の設定等も行われるが、上記と同様なフローであるので、ここではその説明を省略する。
【００５９】
図６に戻って、ステップＳ２０５において、撮影者によってズームスイッチ１５３が操作されたか否かを判定し、オン操作されていない場合はステップＳ２０６に進む。また、ズームスイッチ１５３が操作された場合は、ステップＳ２２１に移行する。
【００６０】
ステップＳ２２１からステップＳ２２４までの動作は、上記実施の第１の形態と同様なので、その説明は省略する。
【００６１】
次のステップＳ２２４において、光学素子１０１に電圧を印加し、その後、次のステップＳ２２５において、タイマ１４６がカウントを開始している場合にはそのカウント値をリセットし、続くステップＳ２２６において、改めてタイマ１４６のカウントをスタートさせてステップＳ２０３に戻る。
【００６２】
つまり、ズームスイッチ１５３が操作され続けている場合は、ステップＳ２０５からステップＳ２２６までを繰り返し実行し、ズームスイッチ１５３のオン操作が終了した時点でステップＳ２０６へと移行する。即ち、ズーム操作中はタイマのカウントを実質的に開始させない。
【００６３】
ステップＳ２０６においては、撮影者によって操作スイッチ群１５４のうち、撮影準備スイッチのオン操作が行われたか否かを判定する。オン操作されていない場合はステップＳ２０７へ進み、ここでタイマ１４６がカウントをスタートしている場合はそのカウント値が完了しているか否かを判定し、カウントが完了していない場合はステップＳ２０３に戻り、撮影条件設定の受け付けや、メニュースイッチ１５８やズームスイッチ１５３の操作の判定を繰り返す。一方、ステップＳ２０７にてタイマ１４６のカウント値が完了している場合はステップＳ２０８へと進み、タイマ１４６のカウント値をリセットした後、ステップＳ２３７へと移行する（その後のフローは後述）。
【００６４】
また、上記ステップＳ２０６にて撮影準備スイッチがオン操作されたと判定した場合はステップＳ２１１へ移行する。
【００６５】
ステップＳ２１１からステップＳ２３４までは、ステップＳ２１７で撮影スイッチのオン操作がなされている場合は上記実施の第１の形態と同様なのでその説明は省略する。
【００６６】
次のステップＳ２３５へ進むと、ここでは撮影された画像を表示器１５１に表示し、次のステップＳ２３６において、タイマ１４６のカウント値の設定が有るかどうかの判定を行う。タイマ１４６のカウント値が設定されていない場合はステップＳ２３７に進み、給電手段１４４を制御して光学素子１０１への電圧印加をオフして一連の撮影動作が終了する。
【００６７】
また、上記ステップＳ２３６にてタイマ１４６のカウント値の設定がある場合は再びステップＳ２０３へと戻る。
【００６８】
この後、カウント中に各種スイッチの操作が無い場合は、そのカウント値が完了するまでは、ステップＳ２０３→Ｓ２０４→Ｓ２０５→Ｓ２０６→Ｓ２０７→Ｓ２０３の各ステップを繰り返すが、カウントが完了すると、ステップＳ２０７からステップＳ２０８へ進み、上記タイマ１４６のカウント値をリセットしてステップＳ２３７へと進み、光学素子１０１への電圧印加をオフして一連の撮影動作を終える。なお、上記ステップ２１７で撮影スイッチのオン操作がなされていない時はステップＳ２０７へ進む。この様に構成されるので、光学素子１０１への電圧印加はズーム操作が行われてから設定時間、撮影が行われない時は自動的に中止される。又設定時間内で撮影動作が行われ、撮影が終了しても、未だ設定時間が経過していないときは、その後の設定時間の経過後に電圧印加が中止される。
【００６９】
上記実施の第２の形態によれば、以下の様な効果を有することになる。
【００７０】
１）撮影動作の如何にかかわらず、各種操作スイッチ群の操作が無い場合は光学素子１０１への電圧印加をオフする事が出来るので、光学装置全体の省電力化が可能となる。
【００７１】
２）光学素子１０１への電圧印加時間を撮影者自ら設定する事が可能なので、撮影状況や撮影者の意図等を反映した節電動作を行う事が可能となる。
【００７２】
（実施の第３の形態）
前述した実施の第１及び第２の形態は、光学素子１０１を、光学装置の撮影光学系内に組込んだ場合の実施の形態であった。ここでは、上記以外の光学系内に光学素子を組込んだ例を、本発明の実施の第３の形態として、図８〜図１０を用いて以下に説明する。
【００７３】
図８は、光学素子１０１を光学装置の観測光学系３３０内に組込んだ時のものである。上記実施の第１及び第２の形態と同様なものについてはその説明を省略する。
【００７４】
図８において、光学装置１４１は視度調スイッチ１５９を有している。この視度調スイッチ１５９は、レバータイプのものでもボタンタイプのものでも良く、その操作によってＣＰＵ１４２は給電手段１４４を制御して光学素子１０１への印加電圧を変更する。つまり、視度調スイッチ１５９の操作によって光学素子１０１の焦点距離が変わるので、観察像の焦点を撮影者の視度に合わせる事が出来る。
【００７５】
３３０は複数のレンズ群からなる観察光学系であり、第１レンズ群３３１，第２レンズ群３３２，第３レンズ群３３３、この光学系の略焦点位置に配置された視野枠３３４、及び、光学素子１０１で構成され、前記第２レンズ群３３２の光軸方向の進退でズーミングが行われる。また、第３レンズ群３３３は移動しないリレーレンズ群である。よって観察者は、光学素子１０１を通して焦点位置に結像した観察像を観察する事が出来る。
【００７６】
図９及び図１０は、図８に示した光学装置１４１が有するＣＰＵ１４２の制御を示すフローチャートであり、以下、図８〜図１０を用いて説明する。
【００７７】
まず、ステップＳ３０１において、メインスイッチ１５２がオン操作されたかどうかを判定し、オン操作されていない時は、そのまま各種スイッチの操作を待つ待機モードの状態となる。その後、ステップＳ３０１においてメインスイッチ１５２がオン操作されたと判定したら待機モードを解除し、ステップＳ３０２へと進む。そして、このステップＳ３０２において、ＣＰＵ１４２に記憶された光学素子１０１の印加電圧値を確認する。なお、光学装置１４１を初めて使用する場合は、ＣＰＵ１４２には印加電圧値＝０Ｖとして設定されている。
【００７８】
次のステップＳ３０３においては、上記ステップＳ３０２の結果に基づき、ＣＰＵ１４２に設定値が無い場合はステップＳ３０４に進む。また、ＣＰＵ１４２に設定値が有る場合は、ステップＳ３１０の「電圧値セット」のサブルーチンへと進む。以下、このサブルーチンについて、図１０を用いて説明する。
【００７９】
図１０のステップＳ３５１においては、その設定値を呼び出し、次のステップＳ３５２において、その設定値に基づいて光学素子１０１への印加電圧値を設定し、その後ステップＳ３５３にて、給電手段１４４を制御して光学素子１０１に電圧を印加して元に戻る。
【００８０】
図９に戻って、ステップＳ３０４においては、撮影者による撮影条件の設定を受付ける。例えば、露出制御モードの設定（シャッタ優先ＡＥ，プログラムＡＥ等）や画質モード（記録画素数の大小，画像圧縮率の大小等）、ストロボモード（強制発光，発光禁止等）等の設定を行う。そして、次のステップＳ３０５において、撮影者によって視度調スイッチ１５９が操作されたか否かを判定し、オン操作されていない場合にはステップＳ３０６に進むが、ここで視度調スイッチ１５９が操作された場合は、ステップＳ３２１へと進む。
【００８１】
ステップＳ３２１においては、視度調スイッチ１５９の操作量（操作方向やオン時間等）を検出し、次のステップＳ３２２において、その操作量に基づいて対応する視度調整量の演算を行う。そして、ステップＳ３２３において、その演算結果によって、光学素子１０１への印加電圧量を決定し、続くステップＳ３２４において、給電手段１４４の出力電圧を制御して光学素子１０１に電圧を印加し、ステップＳ３０４へ戻る。
【００８２】
つまり、視度調スイッチ１５９が操作され続けている場合は、ステップＳ３０４からステップＳ３２４までを繰り返し実行し、視度調スイッチ１５９のオン操作が終了した時点でステップＳ３０６へと移行する。
【００８３】
ステップＳ３０６においては、撮影者によって操作スイッチ群１５４のうち、撮影準備スイッチのオン操作が行われたか否かを判定し、オン操作されていない場合はステップＳ３０４に戻り、撮影条件設定の受け付けや、視度調スイッチ１５９の操作の判定を繰り返す。また、ステップＳ３０６にて撮影準備スイッチがオン操作されたと判定したらステップＳ３１１へ移行する。
【００８４】
ステップＳ３１１からステップＳ３３４までは、上記実施の第１の形態と同様なのでその説明を省略する。
【００８５】
次のステップＳ３３５においては、撮影された画像を表示器１５１に表示し、その後ステップＳ３３６において、メインスイッチ１５２がオフ操作されたかどうかの判定を行う。ここでメインスイッチ１５２がオフ操作されていない場合はステップＳ３０４に移行し、ステップＳ３０４からＳ３３５までの一連の撮影動作を繰り返し行う。
【００８６】
また、上記ステップＳ３３６でメインスイッチ１５２がオフ操作された場合はステップＳ３３７に進み、ＣＰＵ１４２に記憶されている光学素子１０１への印加電圧値を、メインスイッチ１５２のオフ操作直前の印加電圧値に書き換えた後、ステップＳ３３８へと進んで光学素子１０１への電圧印加をオフして一連の撮影動作を終える。
【００８７】
上記実施の第３の形態によれば、光学装置の使用終了時の直前に光学素子に印加していた電圧値を記憶する（Ｓ３３７）ようにしているので、次に光学装置を使用する際には記憶値に基づいて光学素子１０１に電圧を印加した状態で使い始める事ができ、光学装置を使用する度に光学素子の調整を行うという手間が省けると共に、その分、節電する事につながる。
【００８８】
（実施の第４の形態）
前述した実施の第１〜３の形態は、光学素子を、光学装置の各種光学系の焦点距離変化に応用した場合の実施の形態であった。ここでは、本出願人によって先願されている、光学フィルタとして応用した場合を、本発明の実施の第４の形態として、図１１〜図１４を用いて以下に説明する。
【００８９】
図１１は、本発明の実施の第４の形態に係る光学素子２０１の構成を表す断面図及び光学フィルタとして用いる場合の動作を説明するための図である。図１に示す光学素子１０１と同様な構成、すなわち、２０２は透明基板１０２と、２０３は透明電極（ＩＴＯ）１０３と、２０４は絶縁層１０４と、２０５は容器１０５と、２０６はカバー板１０６と、２０７は絞り板１０７と、２１１は撥水膜１１１と、２１２は親水膜１１２と、２１３は親水膜１１３と、２２３は光軸１２３と、２２５は棒状電極１２５と、２２６は給電手段１２６と、それぞれ対応する。
【００９０】
光学素子１０１と光学素子２０１とで異なる点、構成は以下の通りである。
【００９１】
光学素子２０１の液室には、以下に示す２種類の液体が充填される。まず、絶縁層２０４上の撥水膜２１１の上には、第２の液体２２２が所定量だけ滴下される。第２の液体２２２は無色透明で、比重0.85、室温での屈折率1.38のシリコンオイルが用いられる。一方、液室内の残りの空間には、第１の液体２２１が充填される。この第１の液体２２１は、水とエチルアルコールが所定比率で混合され、更に所定量の食塩が加えられた、比重0.85、室温での屈折率1.38の電解液である。更に第１の液体２２１には無彩色の水溶性染料、例えばカーボンブラックや、酸化チタン系の材料が加えられる。すなわち、第１及び第２の液体は、比重と屈折率が等しく、光線吸収能率が異なり、かつ互いに不溶の液体が選定される。
そこで両液体は界面２２４を形成し、混じりあわずに各々が独立して存在する。
【００９２】
次に、前記界面の形状について説明する。
【００９３】
まず、第１の液体に電圧が印加されていない場合、界面２２４の形状は、両液体間の界面張力、第１の液体と絶縁層２０４上の撥水膜２１１あるいは親水膜２１２との界面張力、第２の液体と絶縁層２０４上の撥水膜２１１あるいは親水膜２１２との界面張力、及び、第２の液体の体積で決まる。この実施の形態においては、第２の液体２２２の材料であるシリコンオイルと、撥水膜２１１との界面張力が相対的に小さくなるように材料選定されている。すなわち、両材料間の濡れ性が高いため、第２の液体２２２が形成するレンズ状液滴の外縁は広がる性向を持ち、外縁が撥水膜２１１の塗布領域に一致したところで安定する。つまり、第２の液体２２２が形成するレンズ底面の直径Ａ１は、撥水膜２１１の直径Ｄ１に等しい。一方、両液体の比重は前述のごとく等しいため、重力は作用しない。そこで界面２２４は球面になり、その曲率半径及び高さｈ１は第２の液体２２２の体積により決まる。また、第１の液体の光軸上の厚さはｔ１になる。
【００９４】
ここで、第２の液体２２２は実質上透明であるが、第１の液体２２１は添加された光吸収性材料のために所定の光線吸収能率を有する。そこで、絞り板２０７の開口から光束を入射させると、該光束が通過する第１の液体２２１の光路長に応じた分だけ光線が吸収され、透明基板２０２から射出する光束の強度は低下する。すなわち、光強度の低下率は第１の液体２２１の光軸上の厚さ（図１１のｔ１）に比例するため、給電手段２２６の電圧制御によって界面２２３の形状を変えることにより、透過光量を自在に変えられる光学素子が実現できる。また、第１及び第２の液体の屈折率を等しくしているため、入射した光束はその方向を変えずに射出光の強度のみが変えられる。
【００９５】
図１１の（ａ）〜（ｃ）は光学素子２０１を可変ＮＤフィルタとして用いる場合の動作を更に詳しく説明するための図である。
【００９６】
図１１（ａ）は、光学素子２０１に接続された給電手段２２６の出力電圧が、ゼロあるいは非常に低いＶ１の場合を示す。
【００９７】
この時の界面２２４の形状は、第２の液体２２２が形成するレンズの底面の直径はＡ１、高さはｈ１である。また、第１の液体２２１の光軸上の厚さはｔ１である。ＬINは光学素子２０１の上方から照射され、絞り２０７の開口部に入射する光束、ＬOUT は光学素子２０１から射出される光束である。そして、光束ＬINに対するＬOUT の比が光学素子２０１の透過率になるが、第１の液体２２１の光軸上の厚さｔ１が大きいため、透過率は低くなる。また、射出光束ＬOUT の光量分布は、光軸からの距離、すなわち入射高が大きいほど光量が少なくなるが、液体２２２が形成するレンズ底面の直径Ａ１に対して、絞り２０７の開口直径Ｄ３を小さくしているので、射出光束ＬOUT の光量分布は略均一と見なせる。
【００９８】
図１１（ｂ）は、給電手段２２６の出力電圧が、Ｖ１より大きなＶ２の場合を示す。
【００９９】
この時、第２の液体２２２が形成するレンズの底面の直径はＡ２、高さはｈ２である。また、第１の液体２２１の光軸上の厚さは図１１（ａ）のｔ１より小さなｔ２である。そこで光束の透過率は図１１（ａ）の場合より大きくなる。
【０１００】
図１１（ｃ）は、給電手段２２６の出力電圧が、Ｖ２より更に大きなＶ３の場合を示す。
【０１０１】
この時、第２の液体２２２が形成するレンズの底面の直径はＡ３に縮まり、界面２２４の頂上はカバー板２０６の下面に形成された親水膜２１３に接触して平坦となる。そして、この平坦部の直径は絞り２０７の開口部の直径Ｄ３に等しいか、Ｄ３より大きい。その結果、第１の液体２２１の光軸上の厚さはゼロになるため、透過率は図１１（ｂ）の場合より更に大きくなる。その後、給電手段２２６の出力電圧を更に上昇させても、絞り２０７の開口部内側の界面２２４の形状は変わらないため、該光学素子を可変ＮＤフィルタとして用いた場合の透過率は一定のままである。この時の透過率は、透明基板２０２，透明電極２０３，絶縁層２０４，撥水膜２１１，第２の液体２２２，親水膜２１３，カバー板２０６の透過率の積で表わされる。
【０１０２】
なお、図１１（ｃ）の状態から給電手段２２６の印加電圧をＶ１に戻すと、両液体の界面張力が元に戻る。この時、第１の液体２２１と親水膜２１３との濡れ性は良く、第２の液体２２２と親水膜２１３との濡れ性は悪いため、第２の液体２２２は親水膜２１３から離れて図１１（ａ）の状態に復帰する。すなわち、当光学素子の界面２２４の形状変化は、印加電圧の変化に対して可逆である。
【０１０３】
図１２は、光学素子２０１に印加される電圧に対する該光学素子２０１の光線透過率の関係を表わしたものであり、印加電圧の増加に伴い、透過率も上昇し、印加電圧がＶ３に達したところで透過率は飽和する。
【０１０４】
図１３は、上記光学素子２０１を光学装置に応用したものである。この実施の形態では、上記実施の第２の形態と同様に、光学装置１４１は静止画像を撮像手段で電気信号に光電変換し、これをデジタルデータとして記録する、いわゆるデジタルスチルカメラを例として説明する。なお、実施の第２の形態と同様なものについては、その詳細な説明は省略する。
【０１０５】
４３０は複数のレンズ群からなる撮影光学系であり、第１レンズ群４３１，第２レンズ群４３２，第３レンズ群４３３で構成され、前記第１レンズ群４３１の光軸方向の進退で、焦点調節がなされ、前記第２レンズ群４３２の光軸方向の進退で、ズーミングがなされる。前記第３レンズ群４３３は移動しないリレーレンズ群である。そして、第２レンズ群４３２と第３レンズ群４３３の間に光学素子２０１が配置される。撮影光学系４３０の焦点位置（予定結像面）には、撮像手段13４が配置される。
【０１０６】
次に、この実施の第４の形態における光学素子２０１の作用を説明する。
【０１０７】
自然界に存在する被写体の輝度のダイナミックレンジは非常に大きく、これを所定範囲に収めるために、通常は撮影光学系内部に機械式絞り機構を有し、撮影光束の光量を調節している。しかしながら、機械式絞り機構は小さくする事が困難であり、かつ絞り開口部が小さい小絞り状態では、絞り羽根端面による光線の回折現象で、被写体像の解像力が低下する。
【０１０８】
そこで、この実施の第４の形態では、光学素子２０１を前記機械式絞り機構を代用する可変ＮＤフィルタとして用いることで、上記欠点を生ずること無く、撮影光学系を通過する光量を適切に調節することを可能にする。
【０１０９】
図１４は、図１３に示した光学装置１４１が有するＣＰＵ１４２の制御を示すフローチャートであり、以下、図１３及び図１４を用いて説明する。なお、上記実施の第２の形態と同様な制御部分についてはその詳細な説明を省略する。
【０１１０】
まず、ステップＳ４０１において、撮影者によりメインスイッチ１５２がオン操作されたか否かを判定し、オン操作されていない時はステップＳ４０１に留まる。一方、メインスイッチ１５２がオン操作されたと判定したら、ＣＰＵ１４２はスリープ状態から脱してステップＳ４０２以降を実行する。
【０１１１】
ステップＳ４０２においては、ＣＰＵ１４２に記憶されたタイマ１４６の設定値を確認する。そして、次のステップＳ４０３において、撮影者による撮影条件の設定を受け付け、続くステップＳ４０４において、撮影者によってメニュースイッチ１５８がオン操作されたか否かを判定し、オン操作されていない場合はステップＳ４０５に進む。ここでメニュースイッチ１５８が操作された場合には、ステップＳ４１０（ステップＳ２１０と同様）のサブフローへと進む。
【０１１２】
ステップＳ４０５へ進むと、ここでは撮影者による撮影準備スイッチのオン操作がなされたか否かを判定し、オン操作されていない時はステップＳ４０６へ進み、タイマ１４６がカウントをスタートしている場合はそのカウント値が完了しているか否かを判定し、カウントが完了していない場合はステップＳ４０３に戻り、撮影条件設定の受け付けやメニュースイッチ１５８の操作の判定を繰り返す。一方、上記ステップＳ４０６にてタイマ１４６のカウント値が完了していると判定された場合はステップＳ４０７へと進み、タイマ１４６のカウント値をリセットし、その後、ステップＳ４３７へと移行する。
【０１１３】
また、上記ステップＳ４０５において、撮影準備スイッチがオン操作されたと判定されたらステップＳ４１１へ移行する。
【０１１４】
ステップＳ４１１及びステップＳ４１２は、上記実施の第２の形態と同様なので、その説明を省略する。
【０１１５】
次のステップＳ４１３へ進むと、ここでは上記ステップＳ４１２にて判定した受光量が適正か否かを判定する。そして、このステップで適正と認識したらステップＳ４１４に進む。
【０１１６】
一方、上記ステップＳ４１３において、前記ステップＳ４１２にて判定した受光量が適正でないと判定したらステップＳ４２１にジャンプし、ここでは実際の受光量と適正な受光量を比較し、撮影光学系４３０内の光学素子２０１の適正透過率を演算する。そして、次のステップＳ４２２において、上記ステップＳ４２１にて演算した適正透過率を得るための制御電圧を演算する。具体的には、ＣＰＵ１４２のＲＯＭには、図１２に示した印加電圧に対する透過率の関係がルックアップテーブルとして記憶されているので、該テーブルを参照し、ステップＳ４２１にて演算した透過率に対する印加電圧を求める。
【０１１７】
次のステップＳ４２３においては、上記ステップＳ４２２にて求めた電圧が光学素子２０１に印加されるよう、給電手段１４４の出力電圧を制御する。その後はステップＳ４１１に戻り、撮像手段１３４に入射する光量が適正になるまで、プレビュー画像の取得から給電手段１４４の制御までのステップを繰り返し実行する。そして撮像手段１３４に入射する光量が適正になると、ステップＳ４１３からステップＳ４１４に移行する。
【０１１８】
ステップＳ４１４からステップＳ４３４までは、上記実施の第２の形態と同様なのでその説明を省略する。
【０１１９】
次のステップＳ４３５においては、撮影された画像を表示器１５１に表示し、その後ステップＳ４３６へ進み、ここではタイマ１４６のカウント値の設定が有るかどうかの判定を行う。タイマ１４６のカウント値が設定されていない場合はステップＳ４３７に進み、給電手段１４４を制御して光学素子２０１への電圧印加をオフして一連の撮影動作が終了する。
【０１２０】
また、ステップＳ４３６にてタイマ１４６のカウント値の設定がある場合は再びステップＳ４０３へと戻る。
【０１２１】
この後、カウント中に各種スイッチの操作が無い場合は、そのカウント値が完了するまでは、ステップＳ４０３→Ｓ４０４→Ｓ４０５→Ｓ４０６→Ｓ４０３の各ステップを繰り返すが、カウントが完了すると、ステップＳ４０６においてステップＳ４０７に進み、ここでタイマ１４６のカウント値をリセットした後、ステップＳ４３７へ進んで光学素子２０１への電圧印加をオフして一連の撮影動作を終える。
【０１２２】
上記実施の第４の形態によれば、以下の様な効果を有するものとなる。
【０１２３】
１）撮影動作の如何にかかわらず、各種操作スイッチ群の操作が無い場合は光学素子２０１への電圧印加をオフする事が出来るので、光学装置全体の省電力化が可能となる。
【０１２４】
２）光学素子２０１への電圧印加時間を撮影者自ら設定する事が可能なので、撮影状況や撮影者の意図等を反映した節電動作を行う事が可能となる。つまり、光学素子の使用形態によらずに同様な効果を得られる事が出来る。
【０１２５】
（変形例）
上記実施の各形態においては、カメラに適用した例を述べたが、これに限定されるものではなく、焦点距離を可変な種々の光学装置や観察装置等への適用も可能である。
【０１２６】
【発明の効果】
以上説明したように、請求項１に記載の発明によれば、カメラの小型化に寄与しかつ最大透過率の優れた、電気毛管現象を利用した光学素子を低消費電力で駆動し、所望の光学特性を得ることができるカメラを提供できるものである。
【図面の簡単な説明】
【図１】本発明の実施の第１の形態に係る光学素子の断面図である。
【図２】本発明の実施の第１の形態に係る光学素子に電圧を印加した時の動作説明図である。
【図３】本発明の実施の第１の形態に係る光学装置の構成図である。
【図４】本発明の実施の第１の形態に係る光学装置の制御を示すフローチャートである。
【図５】本発明の実施の第２の形態に係る光学装置の構成図である。
【図６】本発明の実施の第２の形態に係る光学装置のメイン制御を示すフローチャートである。
【図７】本発明の実施の第２の形態に係る光学装置のサブルーチンを示すフローチャートである。
【図８】本発明の実施の第３の形態に係る光学装置の構成図である。
【図９】本発明の実施の第３の形態に係る光学装置のメイン制御を示すフローチャートである。
【図１０】本発明の実施の第３の形態に係る光学装置のサブルーチンを示すフローチャートである。
【図１１】本発明の実施の第４の形態に係る光学素子の動作説明の詳細図である。
【図１２】本発明の実施の第４の形態に係る光学素子の透過率分布説明図である。
【図１３】本発明の実施の第４の形態に係る光学装置の構成図である。
【図１４】本発明の実施の第４の形態に係る光学装置の制御を示すフローチャートである。
【符号の説明】
１０１，２０１          光学素子
１２１，２２１          第１の液体
１２２，２２２          第２の液体
１２６，２２６          給電手段
１３０，２３０，４３０  撮影光学系
３３０                  観察光学系
１３４                  撮像手段
１４１                  光学装置
１４２                  ＣＰＵ
１４４                  給電手段
１４６                  タイマ
１５２                  メインスイッチ
１５７                  メモリ
【図１】
0004666721.tif 000002
【図２】
0004666721.tif 000003
【図３】
0004666721.tif 000004
【図４】
0004666721.tif 000005
【図５】
0004666721.tif 000006
【図６】
0004666721.tif 000007
【図７】
0004666721.tif 000008
【図８】
0004666721.tif 000009
【図９】
0004666721.tif 000010
【図１０】
0004666721.tif 000011
【図１１】
0004666721.tif 000012
【図１２】
0004666721.tif 000013
【図１３】
0004666721.tif 000014
【図１４】
0004666721.tif 000015